(57)【要約】【課題】状況に応じて鏡面モードと表示モードを切り替えることが可能な表示制御装置および記録媒体を提供する。【解決手段】入力された情報の種類を判別する判別部と、前記判別部による判別結果に応じて、鏡面モードおよび表示モードに切り替え可能な表示部のモードを切り替える表示制御部と、を備える、表示制御装置。【選択図】図１
2014106335.tif 000002
【特許請求の範囲】
【請求項１】
入力された情報の種類を判別する判別部と、
前記判別部による判別結果に応じて、鏡面モードおよび表示モードに切り替え可能な表示部のモードを切り替える表示制御部と、
を備える、表示制御装置。
【請求項２】
前記表示制御部は、前記表示部が鏡面モードの際、コンテキストに応じて、前記表示部に含まれる鏡面部分以外の発光素子を発光制御する、請求項１に記載の表示制御装置。
【請求項３】
前記コンテキストとは、現在時刻または周囲の照度であって、
前記表示制御部は、前記現在時刻が予め設定された夜時間である場合、または周囲の照度が所定値を下回る場合、前記表示部に含まれる鏡面部分以外の発光素子を発光させる、請求項２に記載の表示制御装置。
【請求項４】
前記発光素子はバックライトであって、
前記表示制御部は、前記バックライトの発光レベルを所定値以上で発光させる、請求項３に記載の表示制御装置。
【請求項５】
前記発光素子は画像素子であって、
前記表示制御部は、前記画像素子を白色発光させる、請求項３に記載の表示制御装置。
【請求項６】
前記表示部には、鏡面状態と透明状態を切り替え可能な素材が用いられる、請求項１に記載の表示制御装置。
【請求項７】
前記素材は、エレクトロクロミック素材である、請求項６に記載の表示制御装置。
【請求項８】
前記表示部には、金属蒸着膜で形成される鏡面フィルターが用いられる、請求項１に記載の表示制御装置。
【請求項９】
前記表示部には、ハーフミラーが用いられる、請求項１に記載の表示制御装置。
【請求項１０】
前記表示制御部は、前記表示部が鏡面モードの際、前記表示部の一部に情報表示を行うよう制御する、請求項１に記載の表示制御装置。
【請求項１１】
前記表示制御部は、前記表示部が前記鏡面モードである場合に入力された情報の種類が、前記鏡面モードよりも前記表示モードを優先するものである場合、前記表示部のモードを前記表示モードに切り替える、請求項１に記載の表示制御装置。
【請求項１２】
前記表示制御部は、前記判別部により判別された情報の種類に対して、前記表示モードよりも前記鏡面モードを優先するよう設定されている場合、前記表示部のモードを前記鏡面モードに切り替える、請求項１に記載の表示制御装置。
【請求項１３】
前記表示部は、液晶モジュール、有機ＥＬ、またはＬＥＤにより、前記入力された情報を表示する、請求項１に記載の表示制御装置。
【請求項１４】
コンピュータを、
入力された情報の種類を判別する判別部と、
前記判別部による判別結果に応じて、鏡面モードおよび表示モードに切り替え可能な表示部のモードを切り替える表示制御部と、
として機能させるためのプログラムが記録された記録媒体。
【発明の詳細な説明】
【技術分野】
【０００１】
本開示は、表示制御装置および記録媒体に関する。
【背景技術】
【０００２】
近年、携帯電話端末、スマートフォン、タブレット端末等のモバイル通信端末が普及している。特に携帯電話端末やスマートフォンには、電話およびメールによる通信機能の他、カメラ機能やタッチパネルによる操作入力機能等が設けられている。さらに昨今では、携帯電話端末やスマートフォンの表示画面に鏡面機能が設けられている場合もある。
【０００３】
表示画面を鏡面として利用する技術に関しては例えば下記特許文献１、２が提案されている。
【０００４】
特許文献１では、調光ミラーのアプリケーションとして、情報表示媒体に調光ミラーを貼付し、鏡面状態と透明状態を切り替えて使用する技術が開示されている。
【０００５】
また、特許文献２では、鏡面状態と透明状態を切り替えて使用するディスプレイ装置において、電源オフ時に鏡面状態になって不快感が出るのを避けるための技術が開示されている。具体的には、鏡面フィルムの前面に調光ガラスを貼付し、調光ガラスの透過率を制御することで、電源オフ時の鏡面状態を制御している。
【先行技術文献】
【特許文献】
【０００６】
【特許文献１】特開２００４−２５８４００号公報
【特許文献２】特開２００５−３２１６３５号公報
【発明の概要】
【発明が解決しようとする課題】
【０００７】
しかしながら、上記特許文献１、２では、ディスプレイへの入力情報の種別等、状況に応じてディスプレイ上の鏡面部分を鏡面状態（鏡面モード）と透明状態（表示モード）に自動的に切り替えることについては何ら言及されていない。
【０００８】
そこで、本開示では、状況に応じて鏡面モードと表示モードを切り替えることが可能な、新規かつ改良された表示制御装置および記録媒体を提案する。
【課題を解決するための手段】
【０００９】
本開示によれば、入力された情報の種類を判別する判別部と、前記判別部による判別結果に応じて、鏡面モードおよび表示モードに切り替え可能な表示部のモードを切り替える表示制御部と、を備える、表示制御装置を提案する。
【００１０】
本開示によれば、コンピュータを、入力された情報の種類を判別する判別部と、前記判別部による判別結果に応じて、鏡面モードおよび表示モードに切り替え可能な表示部のモードを切り替える表示制御部と、として機能させるためのプログラムが記録された記録媒体を提案する。
【発明の効果】
【００１１】
以上説明したように本開示によれば、状況に応じて鏡面モードと表示モードを切り替えることが可能となる。
【図面の簡単な説明】
【００１２】
【図１】本開示の一実施形態による表示制御システムの概要を説明するための図である。
【図２】本実施形態による通信端末の内部構成例を示すブロック図である。
【図３】本実施形態による表示部の構成例について説明するための図である。
【図４】本実施形態による第１の表示制御処理を示すフローチャートである。
【図５】鏡面モードにおいて、表示部の一部に情報表示を行う場合について説明するための図である。
【図６】鏡面モードにおいて、ＡＲ表示を行う場合について説明するための図である。
【図７】本実施形態による第２の表示制御処理を示すフローチャートである。
【図８】鏡面モードにおいて、発光により鏡面作用効果が高める場合について説明するための図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態による表示制御システムの概要
２．通信端末の構成
３．動作処理
３−１．第１の動作処理
３−２．第２の動作処理
４．まとめ
【００１５】
＜１．本開示の一実施形態による表示制御システムの概要＞
まず、本開示の一実施形態による表示制御システムの概要について、図１を参照して説明する。
【００１６】
図１は、本開示の一実施形態による表示制御システムの概要を説明するための図である。図１に示すように、表示制御システムは、通信端末１（表示制御装置）に適用され、通信端末１に設けられた表示部１２を鏡面モードまたは表示モードに切り替える制御を行う。
【００１７】
鏡面モードでは、図１左に示すように表示部１２に鏡像が映り、ユーザは表示部１２を鏡として利用することができる。
【００１８】
ここで、一般的に通信端末の表示部を鏡面として利用する場合、電源ＯＦＦ（バックライトＯＦＦ）時に鏡面として作用する半透過型の偏光板やハーフミラーが液晶表示部上に設けられる。よって、電源ＯＦＦ時には外光が反射して鏡面効果が発生し、電源ＯＮ（バックライトＯＮ）の際は液晶表示部からの光が偏光板やハーフミラーを透過し、ユーザは液晶表示部の表示内容を視認することができる。
【００１９】
しかしながら、ユーザが鏡面を利用し続けたい場合でも、メール着信や電話着信があった場合、またはアラーム時刻やＴＶ視聴予約時刻になった場合等、自動的に通信端末の電源がＯＮになると、鏡面状態が強制的に終了してしまい、利便性が悪かった。
【００２０】
そこで、上記事情を一着眼点にして本開示の各実施形態による表示制御システム（表示制御装置）を創作するに至った。本開示の各実施形態による表示制御システムは、入力された情報の種別を判断し、判断結果に応じて鏡面モードと表示モードを切り替えることができる。例えば、電話着信はメール着信よりも緊急の連絡である可能性が高いので、表示部１２が鏡面モードの場合に電話着信があった場合は表示モードに切り替え、メール着信の場合は鏡面モードを維持する。これにより、通信端末１の利便性がさらに向上する。
【００２１】
以上、本開示の一実施形態における表示制御システムの概要について説明した。続いて、本実施形態による表示制御システムが適用される通信端末１の構成および表示制御システムの動作処理について順次説明する。なお、図１に示す例では、通信端末１の一例としてスマートフォンを図示しているが、本実施形態による通信端末１はこれに限定されず、例えば携帯電話、ＰＨＳ（Ｐｅｒｓｏｎａｌ  Ｈａｎｄｙ−ｐｈｏｎｅ  Ｓｙｓｔｅｍ）、タブレット端末、ＰＤＡ（Ｐｅｒｓｏｎａｌ  Ｄｉｇｉｔａｌ  Ａｓｓｉｓｔａｎｔ）、またはノートＰＣ（パーソナルコンピュータ）、ゲーム機器、ウェアラブル装置等であってもよい。
【００２２】
＜２．通信端末の構成＞
［２−１．内部構成］
図２は、本実施形態による通信端末１の内部構成例を示すブロック図である。図２に示すように、本実施形態による通信端末１は、制御部１０、記憶部１１、表示部１２、操作入力部１３、時計部１５、照度センサ１６、通信Ｉ／Ｆ（インタフェース）１７、信号処理部１８、アンプ・ＡＤＣ（アナログ−デジタルコンバータ）部１９、マイクロフォン２０（以下、マイク２０と称す）、ＤＡＣ（デジタル−アナログコンバータ）・アンプ部２１、およびスピーカ２２を有する。
【００２３】
（制御部）
制御部１０は、通信端末１の各構成を制御する機能を有する。例えば、制御部１０は、操作入力部１３により入力されたユーザ操作に応じて、各構成を制御する。また、本実施形態による制御部１０は、図２に示すように、判別部１１０および表示制御部１２０として機能する。
【００２４】
判別部１１０は、判別部１１０に入力された情報（コンテンツ）の種類を判別する。判別部１１０に入力される情報は、表示制御部１２０により表示部１２に表示される情報であって、かかる情報の種別としては、例えば電話／メール着信、写真／映像情報、アラーム／ＴＶ視聴予約通知等が挙げられる。判別部１１０は、判別結果を表示制御部１２０に出力する。
【００２５】
表示制御部１２０は、表示部１２を制御し、メニュー画面や各種操作画面等、所定の情報を表示させる。また、本実施形態による表示制御部１２０は、表示モードおよび鏡面モードに切り替え可能な表示部１２のモード切り替え制御を行う。具体的には、表示制御部１２０は、判別部１１０による入力された情報の種類判別結果に応じて、表示部１２を鏡面モードまたは表示モードに切り替える。例えば、表示制御部１２０は、判別部１１０により判別された入力情報の種別が、鏡面モードを優先するものである場合は表示部１２を鏡面モードに切り替え、表示モードを優先するものである場合は表示部１２を表示モードに切り替える。
【００２６】
入力情報の種別に応じたモードの優先に関しては、例えば表示制御部１２０は、ビデオ通話着信の場合は鏡面モードを優先し、通常の電話着信の場合は表示モードを優先し、メール着信の場合は鏡面モードを優先し、映像再生の場合は表示モードを優先する。なお、映像再生の場合において、オリンピックやオンライゲームなど、視聴価値が高いものやライブで参加できるものについて、ユーザにより優先度を予め設定し、表示モードを優先するようにしてもよい。また、上述したビデオ通話着信の場合、通信端末１に設けられたインカメラ（不図示）でユーザ自身が撮影されて撮影画像が相手側に送られるので、ビデオ通話に出る前に自身の姿を確認したいというニーズがあり、鏡面モードが優先される。
【００２７】
このように、入力情報の種別に応じて鏡面モードが優先されることで、鏡面を利用している場合に表示部１２に表示される入力情報があっても強制的に表示モードに切り替わることがなく、通信端末１の利便性が向上する。
【００２８】
さらに、本実施形態による表示制御部１２０は、表示部１２が鏡面モードの際に、コンテキストに応じて、表示部１２に含まれる鏡面部分以外の発光素子を発光制御することで、通信端末１の利便性をより向上させることができる。上記コンテキストとは、現在時刻または周囲の照度であって、表示制御部１２０は、現在時刻が予め設定された夜時間である場合、または周囲の照度が所定値を下回る場合、周りが暗いと判断できるので、表示部１２に含まれる鏡面部分以外の発光素子を発光させる。これにより、周囲が暗い場合にも鏡面を見えやすくすることができる。
【００２９】
（表示部）
表示部１２は、制御部１０の制御に従って、メニュー画面や各種操作画面等を表示する。また、表示部１２は、表示モードおよび鏡面モードを有し、制御部１０の制御にしたがって、表示モードまたは鏡面モードに切り替わる。具体的には、表示部１２は、鏡面状態と透明状態を切り替え可能な素材により形成される。このような素材を用いた表示部１２の具体的な構成については、図３を参照して後述する。
【００３０】
（操作入力部）
操作入力部１３は、ユーザによる操作入力を検出する。操作入力部１３は、通信端末１に物理的に設けられた各種のボタンにより実現されてもよいし、表示部１２の画面に対するユーザのタッチ位置を検知するタッチパネルにより実現されてもよい。
【００３１】
（時計部）
時計部１５は、時刻を計時し、現在の時刻情報を制御部１０に出力する機能を有する。また、時計部１５は、内部クロックにより実現されてもよい。
【００３２】
（照度センサ）
照度センサ１６は、周囲の照度を検知する検知部であって、検知した照度の値を制御部１０に出力する。また、照度センサ１６は、フォトダイオード（可視光に感度を持つフォトダイオード）により実現されてもよい。
【００３３】
（マイク）
マイク２０は、ユーザの音声を集音し、ユーザの音声に対応する音声情報（オーディオ信号）をアンプ・ＡＤＣ部１９に出力する。
【００３４】
（アンプ・ＡＤＣ部）
アンプ・ＡＤＣ部１９は、マイク２０から出力された音声情報を増幅するアンプと、アンプにより増幅された音声情報を、アナログ電気信号からデジタル電気信号に変換するＡＤＣを有する。また、アンプ・ＡＤＣ部１９は、デジタル電気信号に変換した音声情報を信号処理部１８に出力する。
【００３５】
（ＤＡＣ・アンプ部）
ＤＡＣ・アンプ部２１は、信号処理部１８から出力された通話相手の音声情報を、デジタル電気信号からアナログ電気信号に変換するＤＡＣと、アナログ電気信号に変換された音声情報を増幅するアンプを有する。また、ＤＡＣ・アンプ部２１は、アナログ電気信号に変換し、増幅した音声情報をスピーカ２２に出力する。なお、信号処理部１８から出力される音声情報は、通話相手の音声（受話音声）に限定されず、制御部１０で再生される各種コンテンツ（映画、ＴＶ番組、音楽等）のオーディオ信号であってもよい。
【００３６】
（スピーカ）
スピーカ２２は、ＤＡＣ・アンプ部２１から出力された音声情報を出力（再生）する機能を有する。
【００３７】
（信号処理部）
信号処理部１８は、制御部１０による制御にしたがって、マイク２０で集音されアンプ・ＡＤＣ部１９から出力される送話音声、または通信Ｉ／Ｆ１７により受信された受話音声に対して、所定の信号処理を行う機能を有する。例えば、信号処理部１８は、音量変更、ノイズ除去、符号化処理、復号化処理、加工処理等を行う。
【００３８】
（記憶部）
記憶部１１は、制御部１０による各種制御を実行するためのプログラム等を記憶する。
【００３９】
（通信Ｉ／Ｆ）
通信Ｉ／Ｆ１７は、外部装置とデータを送受信する機能を有する。具体的には、通信Ｉ／Ｆ１７は、携帯電話網、電話回線、またはインターネット回線への接続が可能であって、電話着信、ビデオ通話着信、メール受信等を受け付ける。
【００４０】
［２−２．表示部の構成］
以上、本実施形態による通信端末１の内部構成について具体的に説明した。続いて、本実施形態による通信端末１の表示部１２の具体的な構成について図３を参照して説明する。
【００４１】
図３は、本実施形態による表示部１２の構成例について説明するための図である。本実施形態による表示部１２は、図３左に示すように、調光ミラー１２１、液晶パネル１２２、およびバックライト１２３から形成される表示部１２−１であってもよい。液晶パネル１２２は、表示制御部１２０による制御に応じて、入力された情報を表示する機能を有する。また、液晶パネル１２２の後側には、光源としてバックライト１２３が設けられる。バックライト１２３は、液晶パネル１２２に情報が表示される際に発光し、透過型の液晶パネル１２２を後側から照明する。なお、このような透過型の液晶パネルとバックライトの組み合わせを液晶モジュールとも称す。
【００４２】
また、液晶パネル１２２の前側には、調光ミラー１２１が設けられる。調光ミラー１２１は、電気スイッチによりクロミズム現象を起こし、鏡面状態と透明状態に切り換わるエレクトロクロミック素材により形成される。調光ミラー１２１が透明状態になると、液晶パネル１２２に表示された情報がユーザに視認され得るので、ここでは調光ミラー１２１が透明状態の場合を表示モード、調光ミラー１２１が鏡面状の場合を鏡面モードと称す。
【００４３】
調光ミラー１２１の具体的な材料は様々だが、一例として、マグネシウム・ニッケル系合金薄膜に電解質層を組み合わせたものにより実現してもよい。この場合、マグネシウムがマグネシウム水素化物と可逆的に組成遷移し、マグネシウム水素化物になると透明化する性質を調光ミラー１２１として利用する。その他、調光ミラー１２１は、特開２００８−２０５８６に開示されているマグネシウム・チタン合金薄膜や、特開２００８−２０５９０に開示されているマグネシウム・ニオブ合金薄膜により実現してもよい。
【００４４】
また、本実施形態による表示部１２は、図３右に示すように、鏡面フィルター１２４および有機ＥＬ（Ｅｌｅｃｔｒｏｌｕｍｉｎｅｓｃｅｎｃｅ）１２５から形成される表示部１２−２であってもよい。有機ＥＬ１２５は、表示制御部１２０による制御に応じて、入力された情報を表示する機能を有する。なお、有機ＥＬ１２５は、画像素子の一例であって、本実施形態による画像素子は有機ＥＬに限定されず、例えばＬＥＤ（Ｌｉｇｈｔ  Ｅｍｉｔｔｉｎｇ  Ｄｉｏｄｅ）であってもよいし、ＬＣＤ（Ｌｉｑｕｉｄ  Ｃｒｙｓｔａｌ  Ｄｉｓｐｌａｙ）であってもよい。
【００４５】
また、図３に示すように、有機ＥＬ１２５の前側には、鏡面フィルター１２４が設けられる。鏡面フィルター１２４は、アルミニウムまたは銀等の金属蒸着膜で形成され、有機ＥＬ１２５の各画素単位に金属蒸着されていてもよい。鏡面フィルター１２４は、有機ＥＬ１２５がＯＦＦ（発光なし）または黒色発光の場合、外光が鏡面フィルター１２４で反射した反射光がユーザに視認され、鏡面として作用する。ここでは、有機ＥＬ１２５がＯＦＦの場合に鏡面フィルター１２４が鏡面として作用する状態を鏡面モード、有機ＥＬ１２５がＯＮの場合を表示モードと称す。
【００４６】
以上、表示部１２の具体的な構成として図３を参照して２つの例を挙げたが、この他、本実施形態による表示部１２は、上記表示部１２−１に含まれる調光ミラー１２１の代わりにハーフミラーを設けた構成であってもよい。
【００４７】
また、調光ミラー１２１や鏡面フィルター１２４等の鏡面部分は、液晶パネル１２２、有機ＥＬ１２５等の表示用モジュール上の全面に設けられていてもよいし、一部に設けられていてもよい。
【００４８】
＜３．動作処理＞
次に、本実施形態による表示制御システムの動作処理について図４〜図８を参照して具体的に説明する。
【００４９】
［３−１．第１の動作処理］
図４は、本実施形態による第１の表示制御処理を示すフローチャートである。図４に示すように、まず、ステップＳ１０３において、表示部１２は、デフォルト状態として鏡面モードまたは表示モードとなっている。デフォルト状態を鏡面モードまたは表示モードのいずれにするかは、ユーザにより予め設定してもよいし、前回切り替えられたモードが維持されていてもよい。
【００５０】
なお、上述した調光ミラー１２１を用いる場合、電気スイッチの切り替えにより調光ミラー１２１が鏡面状態と透明状態に可逆的に切り替わるが、調光ミラー１２１に使用する素材によっては切り替えスピードが遅い場合もある。そこで、本実施形態による通信端末１は、デフォルト状態を鏡面モードに設定し、情報表示が終了した場合は自動的に表示モードから鏡面モードに戻すことで、ユーザは鏡が必要になった時に、即時、表示部１２を鏡として利用することができ、利便性が向上する。
【００５１】
また、時間帯に応じてデフォルト状態を鏡面モードまたは表示モードに設定してもよい。例えば、朝の時間帯（６時〜８時等）は表示部１２を鏡として利用する需要が高いことが想定されるので、通信端末１は、フォルト状態を鏡面モードに設定してもよい。
【００５２】
次に、ステップＳ１０６において、制御部１０の判別部１１０は、入力された情報の種類を判別する。
【００５３】
次いで、ステップＳ１０９において、表示制御部１２０は、判別部１１０による判別結果に基づいて鏡面モードを優先するか否かを判断する。
【００５４】
次に、鏡面モードを優先すると判断した場合（Ｓ１０９／Ｙｅｓ）、ステップＳ１１２において、表示制御部１２０は、表示部１２を鏡面モードに切り替える。これにより、デフォルト状態が鏡面モードだった場合はその状態が維持され、表示モードだった場合は鏡面モードに切り替えられる。
【００５５】
例えば、入力された情報がメール通知の場合、緊急性が低いことが想定されるので、表示制御部１２０は、表示部１２への情報表示（表示モード）よりも鏡面モードを優先する。また、メール通知やアラーム通知は、表示による通知の他、音声による通知や振動による通知も可能であるので、制御部１０は、表示による通知以外の方法で通知を行い、表示部１２は鏡面モードを維持させてもよい。
【００５６】
また、入力された情報がビデオ通話着信の場合、通信端末１のインカメラ（不図示）で撮影された自分の姿が相手側に送られるので、通話開始前に鏡を利用したい場合が想定される。そこで、表示制御部１２０は、入力された情報がビデオ通話着信の場合、表示部１２を一時的に鏡面モードに切り替え、その後表示モードに切り替えてもよい。
【００５７】
また、表示部１２の全面を鏡面モードに切り替えた場合、表示部１２への情報は非表示となるが、表示制御部１２０は、表示部１２の一部を鏡面モードに切り替え、他の部分に情報表示を行ってもよい。以下、図５〜図６を参照して具体的に説明する。
【００５８】
図５は、鏡面モードにおいて、表示部１２の一部に情報表示を行う場合について説明するための図である。図５左に示すように、表示部１２の全面が鏡面モードに切り替えられた場合、情報は非表示となる。一方、図５右に示すように、表示制御部１２０は、表示部１２の一部の領域３０を鏡面として作用させ、他の領域３２を表示モードに切り替えて情報表示を行ってもよい。
【００５９】
例えば、図３に示す表示部１２−２の場合、表示制御部１２０は、有機ＥＬ１２５の各画素のうち一部の領域に配された画素群で表示するよう制御することで、表示部１２の一部に情報表示を行うことができる。また、図３に示す表示部１２−１であって、調光ミラー１２１が液晶パネル１２２上の一部に設けられている場合、表示制御部１２０は、調光ミラー１２１が設けられていない領域に表示するよう制御することで、表示部１２の一部に情報表示を行うことができる。
【００６０】
図６は、鏡面モードにおいて、ＡＲ表示を行う場合について説明するための図である。図６左に示すように、表示部１２の全面が鏡面モードに切り替えられた場合、情報は非表示となる。しかし、本実施形態による表示制御部１２０は、図６右に示すように、鏡面モードの表示部１２に、ＡＲ（Ａｕｇｍｅｎｔｅｄ  Ｒｅａｌｉｔｙ）情報３４を表示することで、鏡面モードにおいても情報表示をすることが可能である。
【００６１】
例えば、図３に示す表示部１２−２の場合、表示制御部１２０は、有機ＥＬ１２５の各画素のうち一部の領域に配された画素群で情報を表示し、図６右に示すようなＡＲ表示を実現することが可能である。また、本実施形態による表示部１２が、ＬＣＤと、ＬＣＤの前側に設けられる半透過型の偏光板から形成される構成の場合に、ＬＣＤの一部に情報表示することで、図６右に示すようなＡＲ表示を実現することが可能である。
【００６２】
このように、実空間の鏡像が映る鏡面モードの表示部１２にＡＲ表示を行うことで、通信端末１の利便性がさらに向上する。したがって、例えば入力された情報がＡＲ表示用である場合、表示制御部１２０は、鏡面モードを優先し、表示部１２を鏡面モードに切り替えた上で、ＡＲ情報を表示してもよい。
【００６３】
次に、図７のステップＳ１０９に戻り、鏡面モードを優先しない（表示モードを優先する）と判断した場合（Ｓ１０９／Ｎｏ）について説明する。この場合、ステップＳ１１５において、表示制御部１２０は、表示部１２を表示モードに切り替え、入力された情報を表示する。これにより、デフォルト状態が表示モードだった場合はその状態が維持され、鏡面モードだった場合は表示モードに切り替えられる。
【００６４】
例えば、入力された情報が電話着信の場合、緊急性が高いことが想定されるので、表示制御部１２０は、鏡面モードよりも表示部１２への情報表示（表示モード）を優先する。すなわち、図１に示すように、表示制御部１２０は、鏡面モードを強制的に終了して表示モードに切り替え、表示部１２に電話着信を通知する画面を表示することで、ユーザに電話着信を通知する。
【００６５】
以上、本実施形態による第１の表示制御処理について具体的に説明した。次に、本実施形態による第２の表示制御処理について説明する。
【００６６】
［３−２．第２の動作処理］
上述した第１の表示制御処理では、入力された情報の種別に応じて、表示部１２のモードを鏡面モードまたは表示モードに切り替える制御について説明した。ここで、表示部１２が鏡面モードに切り替えられても、周囲が暗いと鏡が見え難い状況が想定される。そこで、本実施形態による第２の表示制御処理では、鏡面モードにおいて、周囲が暗くても鏡が見えやすいよう所定の制御を行う。以下、図７を参照して具体的に説明する。
【００６７】
図７は、本実施形態による第２の表示制御処理を示すフローチャートである。まず、図７のステップＳ１２３において、表示部１２は、鏡面モードまたは表示モードに切り替えられている。具体的には、表示部１２は、上記Ｓ１０３で説明したようなデフォルト状態であってもよい。また、Ｓ１２３において、図４に示すＳ１０３〜Ｓ１１５の処理が繰り返し実行されていてもよい。
【００６８】
次に、ステップＳ１２６において、制御部１０は、現在時刻または周囲の照度を認識する。具体的には、表示制御部１２０は、時計部１５から出力される情報に基づいて現在時刻を認識し、また、照度センサ１６から出力される情報に基づいて周囲の照度を認識することができる。
【００６９】
次いで、ステップＳ１２９において、制御部１０は、鏡面モードが必要か否かを判断する。例えば、ユーザにより鏡不要と設定された場合、制御部１０は鏡面モード不要と判断する。また、上記Ｓ１２３で表示部１２がデフォルト状態になっている場合に、Ｓ１２９において、図４に示すＳ１０３〜Ｓ１０９の処理が実行され、入力された情報の種別に応じて鏡面モードへの切り替え要否が判断されてもよい。
【００７０】
次に、鏡面モードへの切り替えが不要である場合（Ｓ１２９／Ｎｏ）、ステップＳ１３２において、表示制御部１２０は、表示部１２を表示モードに切り替える。
【００７１】
一方、鏡面モードへの切り替えが必要である場合（Ｓ１２９／Ｙｅｓ）、ステップＳ１３５において、表示制御部１２０は、表示部１２を鏡面モードに切り替える。この場合、表示制御部１２０は、表示部１２の全面を鏡面モードに切り替えてもよいし、図５〜図６を参照して説明したように、鏡面モードの表示部１２において、一部に情報を表示してもよい。
【００７２】
次いで、ステップＳ１３８において、表示制御部１２０は、上記Ｓ１２６で取得した情報に基づいて、現在時刻が予め設定された夜の時間帯であるか否か、または照度が所定値を下回るか否かを判断する。
【００７３】
続いて、夜の時間帯である場合、または照度が所定値を下回る場合（Ｓ１３８／Ｙｅｓ）、周囲が暗く、表示部１２の鏡面作用効果が低減する可能性があるので、表示制御部１２０は、ステップＳ１４１において、表示部１２の発光素子を発光させる。ここで、表示部１２の発光素子とは、例えば図３に示す表示部１２−１の場合はバックライト１２３が相当し、表示部１２−２の場合は有機ＥＬ１２５（表示画素）が相当する。表示制御部１２０は、バックライト１２３の点灯または有機ＥＬ１２５の白色発光により、照明を行う。また、表示制御部１２０は、バックライト１２３または有機ＥＬ１２５の発光レベル（輝度）が所定値を上回るよう制御してもよい。
【００７４】
さらに、表示制御部１２０は、鏡面部分（調光ミラー１２１、鏡面フィルター１２４）の端（縁）に位置する発光素子（バックライト１２３、有機ＥＬ１２５）のみを発光するよう制御してもよい。
【００７５】
以上により、例えば図８に示すように、周囲が暗い場合、発光がない状態では図８左に示すように表示部１２の鏡面作用効果が低く（鏡が見えにくく）、一方発光がある状態では図８右に示すように、表示部１２の鏡面作用効果が高まる（鏡が見えやすい）。
【００７６】
一方、昼の時間帯である場合、または照度が所定値を上回る場合（Ｓ１３８／Ｎｏ）、周囲は暗くないと想定されるので、表示制御部１２０は、ステップＳ１４４において、表示部１２の発光素子による発光は行わない。
【００７７】
以上、第２の表示制御処理について具体的に説明した。なお、上記Ｓ１３８において、表示制御部１２０は、時間または照度に応じて、発光するか否かを判断しているが、本実施形態による判断基準はこれに限定されず、例えば天候に応じて発光するか否かを判断してもよい。例えば、表示制御部１２０は、通信Ｉ／Ｆ１７を介して天気情報を取得し、曇りや雨等の場合は周囲が暗いことが想定されるので、発光制御を行ってもよい。また、表示制御部１２０は、通信端末１の現在位置情報を取得し、屋内に位置する場合は周囲が暗いことが想定されるので、発光制御を行ってもよい。
【００７８】
＜４．まとめ＞
上述したように、本実施形態による表示制御システムでは、入力された情報の種別を判断し、判断結果に応じて鏡面モードと表示モードを切り替えることができる。これにより、ユーザが鏡面を利用し続けたい場合でも、メール着信や電話着信があった場合またはアラーム時刻やＴＶ視聴予約時刻になった場合等に自動的に通信端末の電源がＯＮになり、鏡面状態が強制的に終了してしまうといった不都合が解消される。
【００７９】
また、鏡面素材として、鏡面状態と透明状態に可逆的に切り換わるエレクトロクロミック素材を利用した場合、状態の切り替わりに多少の時間がかかる場合が想定される。しかし、表示部１２のデフォルトを鏡モードに設定しておくことで、ユーザは、必要な時に即時鏡として表示部１２を利用することができる。
【００８０】
また、本実施形態では、現在時刻や周囲の照度に応じて、表示部１２の発光素子を発光させることで、周囲が暗い場合にも表示部１２の鏡を見やすくすることができる。
【００８１】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８２】
例えば、照度センサ１６を、撮像部（カメラモジュール）により実現してもよい。
【００８３】
また、入力された情報とは、電話着信、メール着信等の情報の他、スリープモード、省エネモード等の操作／設定情報であってもよい。例えば表示制御部１２０は、スリープモード、省エネモード等の操作／設定情報が入力された場合、鏡面モードを優先し、表示部１２を鏡面モードに切り替えることで液晶パネル１２２や有機ＥＬ１２５の駆動に必要な電力を低減することができる。
【００８４】
また、表示制御部１２０は、通信端末１に設けられたインカメラ（不図示）により、表示部１２に対向するユーザの視線や瞬きを撮影した撮影画像を取得し、当該撮影画像に基づいてユーザの視線や瞬きを鏡面モードへの切り替え指示として検出してもよい。具体的には、表示部１２が表示モードに切り替えられた状態で、何ら情報が表示されていない場合（例えば調光ミラー１２１が透明状態、かつ液晶パネル１２２がＯＦＦの場合）、表示制御部１２０は、ユーザの視線や瞬きに応じて、鏡面モードに切り替えてもよい。これにより、ユーザは、何も映っていない表示部１２を見つめたり、瞬きしたりすることで、表示部１２のモードを鏡面モードに切り替えさせることができる。
【００８５】
なお、本技術は以下のような構成も取ることができる。
（１）
入力された情報の種類を判別する判別部と、
前記判別部による判別結果に応じて、鏡面モードおよび表示モードに切り替え可能な表示部のモードを切り替える表示制御部と、
を備える、表示制御装置。
（２）
前記表示制御部は、前記表示部が鏡面モードの際、コンテキストに応じて、前記表示部に含まれる鏡面部分以外の発光素子を発光制御する、前記（１）に記載の表示制御装置。
（３）
前記コンテキストとは、現在時刻または周囲の照度であって、
前記表示制御部は、前記現在時刻が予め設定された夜時間である場合、または周囲の照度が所定値を下回る場合、前記表示部に含まれる鏡面部分以外の発光素子を発光させる、前記（２）に記載の表示制御装置。
（４）
前記発光素子はバックライトであって、
前記表示制御部は、前記バックライトの発光レベルを所定値以上で発光させる、前記（３）に記載の表示制御装置。
（５）
前記発光素子は画像素子であって、
前記表示制御部は、前記画像素子を白色発光させる、前記（３）に記載の表示制御装置。
（６）
前記表示部には、鏡面状態と透明状態を切り替え可能な素材が用いられる、前記（１）〜（５）のいずれか１項に記載の表示制御装置。
（７）
前記素材は、エレクトロクロミック素材である、前記（６）に記載の表示制御装置。
（８）
前記表示部には、金属蒸着膜で形成される鏡面フィルターが用いられる、前記（１）〜（５）のいずれか１項に記載の表示制御装置。
（９）
前記表示部には、ハーフミラーが用いられる、前記（１）〜（５）のいずれか１項に記載の表示制御装置。
（１０）
前記表示制御部は、前記表示部が鏡面モードの際、前記表示部の一部に情報表示を行うよう制御する、前記（１）〜（９）のいずれか１項に記載の表示制御装置。
（１１）
前記表示制御部は、前記表示部が前記鏡面モードである場合に入力された情報の種類が、前記鏡面モードよりも前記表示モードを優先するものである場合、前記表示部のモードを前記表示モードに切り替える、前記（１）〜（１０）のいずれか１項に記載の表示制御装置。
（１２）
前記表示制御部は、前記判別部により判別された情報の種類に対して、前記表示モードよりも前記鏡面モードを優先するよう設定されている場合、前記表示部のモードを前記鏡面モードに切り替える、前記（１）〜（１１）のいずれか１項に記載の表示制御装置。
（１３）
前記表示部は、液晶モジュール、有機ＥＬ、またはＬＥＤにより、前記入力された情報を表示する、前記（１）〜（１２）のいずれか１項に記載の表示制御装置。
（１４）
コンピュータを、
入力された情報の種類を判別する判別部と、
前記判別部による判別結果に応じて、鏡面モードおよび表示モードに切り替え可能な表示部のモードを切り替える表示制御部と、
として機能させるためのプログラムが記録された記録媒体。
【符号の説明】
【００８６】
１    通信端末
１０    制御部
１１    記憶部
１２、１２−１、１２−２    表示部
１３    操作入力部
１５    時計部
１６    照度センサ
２０    マイクロフォン
２２    スピーカ
１９    アンプ・ＡＤＣ部
２１    ＤＡＣ・アンプ部
１８    信号処理部
１７    通信Ｉ／Ｆ
１２１    調光ミラー
１２２    液晶パネル
１２３    バックライト
１２４    鏡面フィルター
１２５    有機ＥＬ
【図１】
2014106335.tif 000003
【図２】
2014106335.tif 000004
【図３】
2014106335.tif 000005
【図４】
2014106335.tif 000006
【図５】
2014106335.tif 000007
【図６】
2014106335.tif 000008
【図７】
2014106335.tif 000009
【図８】
2014106335.tif 000010